(57)【要約】【課題】多数枚のカードの重量に耐え、且つ防塵カバーに無理な力を与えない構造のバネを備えたカード整理箱を兼ねるカード立を提供する。【解決手段】カード立の背面にカード収納箱を配置し、カード収納箱に収納したカードをカード立の表示窓に向かって圧接させるバネを備えたカード整理箱を兼ねるカード立において、弾性線材を環状に装着した環状バネを形成し、この環状バネを直径方向に圧縮変形させ、直径方向の反発力を用いてカードを表示窓に押し付ける。カードの収納枚数が多くなるに伴って環状バネの周をカード収納箱を構成する側面板に圧接させ、側面板との摩擦係合によりカードの重量を支え、カードの位置を維持させる。【選択図】図２
2008029785.tif 000002
【特許請求の範囲】
【請求項１】
収納したカードの一方の面を表示する表示窓を備えた前面板、上記表示窓の下辺から後方に突出した底面板、上記表示窓の両側辺から後方に突出した２枚の側面板によって構成されるカード収納箱と、
このカード収納箱の下部に上記表示窓の下辺と平行する軸線を中心に回動自在に連絡され、上記カード収納箱の背面を開閉する背面板及びこの背面板の上辺から直交する方向に突出し、上記背面板が上記カード収納箱の背面を塞ぐ姿勢に位置する状態で、上記カードの収納箱の上面を塞ぐ上面板とによって構成される防塵カバーと、
上記カード収納箱内に上記前面板とほぼ平行な姿勢で配置され、上記前面板に沿わせて配置したカードを上記前面板に向かって圧接する圧接板と、
上記防塵カバーを構成する背面板の内面において、上記２枚の背面板の各内面からほぼ等距離の位置で上記背面板の内面とほぼ平行する２本の仮想線上に、これら２本の仮想線を接線とする姿勢で周の一部が上記背面板の内面に固定された一対の環状バネと、
上記防塵カバーを構成する上面板と上記前面板との双方に装着され、上記背面板の閉位置を維持する係止手段と、
上記防塵カバーの開放時、上記圧接板の後傾姿勢を受け止めるストッパと、
を備え、
上記一対の環状バネは上記前面板と背面板との間の寸法より大きい直径を有し、上記カード収納ケース内に収納するカードがゼロ乃至ゼロに近い枚数の状態で上記防塵カバーの背面板が収納箱の背面を塞ぐ姿勢に位置する状態で、上記一対の環状バネの開口面と上記圧接板とのなす内角がそれぞれ直角より小さい角度の姿勢で上記環状バネの周の一部が上記圧接板に接触する構成としたことを特徴とするカード整理箱を兼ねるカード立。
【請求項２】
請求項１記載のカード整理箱を兼ねるカード立において、上記圧接板の背面に装着され、上記防塵ケース解放時に上記一対の環状バネの周の一部を上記圧接板の板面に近接する状態を維持させる支持腕と、
上記一対の環状バネと上記圧接板とのなす内角を直角より小さい角度に維持させる姿勢維持手段と、
を備える構造としたことを特徴とするカード整理箱を兼ねるカード立。
【請求項３】
請求項１又は２の何れかに記載のカード整理箱を兼ねるカード立において、上記圧接板に記録媒体収納ポケットを備える構造としたことを特徴とするカード整理箱を兼ねるカード立。
【請求項４】
請求項１乃至３の何れかに記載のカード整理箱を兼ねるカード立において、上記表示窓をマットに形成した角穴で構成し、マットの背面側に配置した裏蓋に上記マットに形成した角穴よりわずかに大きい角穴を形成し、この角穴の下辺の面を後方に延長した底面板と、上記角穴の両側辺の面を後方に延長した側面板とによってカード収納箱を構成し、このカード収納箱の上記底面板に回動自在に装着した防塵カバーを備えた構造としたことを特徴とするカード整理箱を兼ねるカード立。
【発明の詳細な説明】
【技術分野】
【０００１】  この発明は写真シートのようなカードを収納し、カード整理箱として利用できる外に、収納しているカードの１枚を表示窓から表示することができるカード整理箱を兼ねるカード立に関する。
【背景技術】
【０００２】  本出願人は特許文献１に示すように写真表示装置を提案した。本発明は特許文献１で提案した写真表示装置の改良に関するものである。
特許文献１で提案した写真表示装置は表示窓を有する写真フレームと、この写真フレームの背面に装着した写真シート収納箱と、一面が開放された箱体によって構成され、写真フレームの下枠に対して写真シート収納箱を覆う姿勢と開放する姿勢に回動自在に装着した防塵カバーと、写真シート収納箱に内蔵され、写真シート格納箱に収納した写真シートに表示窓に向かう圧接力を与える圧接板と、この圧接板と防塵カバーの背面板との間に介挿され、圧接板に対して表示窓に向かう偏倚力を与えるバネとによって構成した構造としている。
【特許文献１】特開２００５−２８８０６０号公報
【発明の開示】
【発明が解決しようとする課題】
【０００３】  特許文献１に開示した写真表示装置ではバネは円錐形バネを用いた例を示している。円錐形バネによれば特許文献１の段落「００１１」に明記しているように「最小形状に圧縮変形した状態ではバネを構成するバネ材同士が重ならないからバネ材の直径の厚みまで圧縮変形できる。」としている。
然し乍ら、円錐形バネによって写真シートに圧接力を与える構造とした場合、バネの長さ寸法は一定であるため、少ない枚数の写真シートに対し適度な圧接力を与える状態にバネの力を設定した場合には、収納する写真シートの枚数を多くした場合にはバネの力が過大になり、防塵ケースを破損させる恐れがある。これに対し、多数枚の写真シートに対し、適度の圧接力を与えるバネ長に設定した場合には少ない枚数の写真シートに対して適正な圧接力を与えることができない状態となる。【０００４】  従って、先に提案した写真表示装置では写真立として利用するには写真収納箱に収納する写真シートの枚数を例えば５０〜１００枚程度に制限し、「５０枚以下では写真立としては利用できない」とする利用方法に限定しなければならなかった。
また、他の問題点として、バネによって適正な圧接力を写真シートに与えたとしても、特に写真シートの枚数が１００枚程度になると、その重量は大きくなる。このために、表示窓を上向の姿勢にすると、写真シートの重みによってバネが変形し、表示中の写真シートが表示窓から離れた位置に沈み込んでしまう現象が発生する。また表示窓を上向の姿勢にし、その姿勢のまま上下にゆさぶると、写真シートが収納箱の中で上下に振れてしまう現象が発生する。この現象を阻止するためにはバネの偏倚力を大きくすれば済むが、バネの偏倚力を相当大きくしなければならなくなり、この結果として防塵カバーに掛かる偏倚力が増加し、防塵カバーを変形させたり、破損させる事故が発生するおそれがある。また、防塵カバーを閉位置に維持する係止手段がバネの偏倚力によって係止状態から外れてしまう事故も起きる不具合も生じる。
この発明の目的は防塵カバーに掛る偏倚力を増加させることなく、少ない枚数から最大収納枚数までの写真シート（カード）に対し適正な圧接力を与えることができるバネの構造を提案するものである。
【課題を解決するための手段】
【０００５】  収納したカードの一方の面を表示する表示窓を備えた前面板、表示窓の下辺から後方に突出した底面板、表示窓の両側辺から後方に突出した２枚の側面板によって構成されるカード収納箱と、このカード収納箱の下部に表示窓の下辺と平行する軸線を中心に回動自在に連絡され、カード収納箱の背面を開閉する背面板及びこの背面板の上辺から直交する方向に突出し、背面板がカード収納箱の背面を塞ぐ姿勢に位置する状態で、カードの収納箱の上面を塞ぐ上面板とによって構成される防塵カバーと、カード収納箱内に前面板とほぼ平行な姿勢で配置され、前面板に沿わせて配置したカードを前面板に向かって圧接する圧接板と、防塵カバーを構成する背面板の内面において、上記２枚の背面板の各内面からほぼ等距離の位置で上記背面板の内面とほぼ平行する２本の仮想線上に、これら２本の仮想線を接線とする姿勢で周の一部が上記背面板の内面に固定された一対の環状バネと、防塵カバーを構成する上面板と上記前面板との双方に装着され、上記背面板の閉位置を維持する係止手段と、防塵カバーの開放時、上記圧接板の後傾姿勢を受け止めるストッパとを備え、一対の環状バネは前面板と背面板との間の寸法より大きい直径を有し、カード収納ケース内に収納するカードがゼロ乃至ゼロに近い枚数の状態で防塵カバーの背面板が収納箱の背面を塞ぐ姿勢に位置する状態で、一対の環状バネの開口面と上記圧接板とのなす内角がそれぞれ直角より小さい角度の姿勢で上記環状バネの周の一部が圧接板に接触する構成としたことを特徴とするカード整理箱を兼ねるカード立を提案する。【０００６】  本発明では更に、圧接板の背面に装着され、防塵ケース解放時に一対の環状バネの周の一部を圧接板の板面に近接する状態を維持させる支持腕と、一対の環状バネと圧接板とのなす内角を直角より小さい角度に維持させる姿勢維持手段とを備える構造としたことを特徴とするカード整理箱を兼ねるカード立を提案する。
この発明では更に、カード整理箱を兼ねるカード立において、圧接板に記録媒体収納ポケットを備える構造としたことを特徴とするカード整理箱を兼ねるカード立を提案する。
この発明では更に、カード整理箱を兼ねるカード立において、表示窓をマットに形成した角穴で構成し、マットの背面側に配置した裏蓋にマットに形成した角穴よりわずかに大きい角穴を形成し、この角穴の下辺の面を後方に延長した底面板と、角穴の両側辺の面を後方に延長した側面板とによってカード収納箱を構成し、このカード収納箱の底面板に回動自在に装着した防塵カバーを備えた構造としたことを特徴とするカード整理箱を兼ねるカード立を提案する。
【発明の効果】
【０００７】  本発明によれば、バネを環状とし、環状のバネを直径方向に圧縮変形させて圧接板に与える反発力を発生させたから、線材を環状に巻装しただけでも、その環状のバネには環状の中心から外向に働くプリロード（予圧）が発生する。この結果、最小枚数の写真シートに対して環状のバネを圧接板に接触させるだけでも充分な圧接力を与えることができる。また環状のバネの開口面と圧接板とのなす内角を直角より小さい角度としたから、防塵カバーを閉位置に向かって移動させる場合に、環状バネの圧接板に対する接触位置を側面板に向かって摺動させることができる。この摺動の量はカード収納箱に収納するカードの枚数が増大するに伴って漸次大きくなる。更に、収納するカードの枚数が或る枚数を超えると、環状バネを側面板の板面に圧接させることができる。この圧接力によって環状バネは側面板に対して摩擦係合を始める。この摩擦係合によって圧接板の位置を維持する力が得られ、カード収納箱の内部でカードが振れてしまう現象を抑えることができる。また、この状態では環状バネの直径方向の偏倚力は側面板の板面に対してほぼ垂直方向に働くため、防塵カバーを開放させる方向の偏倚力の増大率は小さくなり、防塵カバーを変形させたり、破損させる事故の発生を抑制することができる。また防塵カバーを閉位置に維持する係止手段にも無理な力が掛かることはなく、係止状態が環状バネの反力で解放されてしまう事故の発生も抑制される。
【発明を実施するための最良の形態】
【０００８】  本発明で用いる環状バネは細いバネ線を寄り合わせたスチールワイヤで構成するのが望ましい。スチールワイヤで形成した環状バネによれば環状の直径方向に圧縮変形するのは無論のこと、環状の周の一部を支持点として支持した場合、ワイヤ自体がねじれて環状の開口面の向が変化する方向にも変形することができる。カード収納箱に収納するカードの枚数が最小時に、環状バネの開口面と圧接板とのなす内角を直角より小さい角度の姿勢に配置することにより、カード収納箱に収納するカードの枚数が最小枚数から漸次増加させると、環状バネの変形は当初その開口面の向が変化する方向に変形する。カードの枚数を増やす毎に環状バネの圧接板に対する接触位置は漸次側面板に近づく向に移動し、収納枚数が所定値に達すると、環状バネの周は側面板に接触を始める。この状態から更にカード収納箱に収納するカードの枚数を増加させると、環状バネは側面板からの反力によって直径方向に圧縮変形を始める。環状バネが直径方向に圧縮変形を始めると、圧接板に対する圧接力の増加率は低減する代わりに側面板への反力が増加し、この反力の増加に従って側面板への摩擦係合力が強まる。この摩擦係合力の増加により、圧接板は強力に現在位置に固定され、カードの位置を維持する。この結果、表示窓を上向（又は下向でもよい）にして上下に揺すっても、カードが収納箱の中で上下に振れる現象の発生は抑えられる。
【実施例１】
【０００９】  図１乃至図８に本発明の一実施例を示す。図中１０はカード収納箱、２０は防塵カバー、３０は環状バネ、４０は圧接板、５０は係止手段、６０はストッパをそれぞれ示す。尚、図１は環状バネ３０と圧接板４０との連結状態を解除した状態を示している。カード収納箱１０は図１及び図２に示すように前面板１１と側面板１２と、底面板１３とによって構成される。前面板１１は表示窓１１Ａを有し、カード収納箱１０に収納したカードの表示面をこの表示窓１１Ａを通じて表示する。
表示窓１１Ａの背面側には図２に示すように四周にしゃくり部１１Ｂと掛り部１１Ｃとを有し、掛り部１１Ｃに係合して透明板１１Ｄが表示窓１１Ａに嵌込まれる。側面板１２と底面板１３はこのしゃくり部１１Ｂの面をそれぞれ後方に延長した面を有して構成される。側面板１２と底面板１３の各延長量Ｌ（図２）は収納可能なカードの枚数によって適宜決定される。例えば収納可能なカードの枚数を例えば１３０枚程度とする場合、延長量ＬはＬ≒４０ｍｍ程度とすればよい。
カード収納箱１０の下部に防塵カバー２０を回動自在に装着する。この実施例１では底面板１３の突出端辺に上向きにわずかな立上り部１３Ａを形成し、この立上り部１３Ａに背面板２１を回動自在に装着した場合を示す。防塵ケース２０はカード収納箱１０の背面を開閉する背面板２１と、この背面板２１がカード収納箱１０の背面を覆う姿勢にあるとき、カード収納箱１０の上面を塞ぐ上面板２２とを有して構成される。この実施例では背面板２１と上面板２２との結合強度を得るために、側面板１２の上部を切り出し、この切り出した側面板の一部を背面板２１と上面板２２との接合部に装着した場合を示す。【００１０】  防塵カバー２０を構成する上面板２２の前端上面に断面が三角形の爪５１を突設し、前面板１２の上辺の背面に線材をコ字状に折り曲げて構成した留め金５２を装着し、これら爪５１と留め金５２とによって係止手段５０を構成する。つまり爪５１を留め金５２に係合させることにより防塵カバー２０を閉位置に維持させる。
係止状態から解放させるには上面板２２の爪５１の近傍を下向に押下し、上面板２２を下向きにたわませることにより係止状態から解放させることができる。
側面板１２の背面側の上部間に例えば布テープ等で構成したストッパ６０を架設する。このストッパ６０に防塵ケース２０の開放時に圧接板４０と写真シートのようなカードを受け止め圧接板４０の後傾姿勢を保持する。
次に、本発明の特徴とする環状バネ３０について説明する。環状バネ３０は上述したようにスチールワイヤによって構成することができる。カード収納箱１０の奥行寸法が例えば４０ｍｍであった場合、環状バネ３０の直径はその約√２倍程度以上に選定する。
環状バネ３０はその周の一部を防塵カバー２０を構成する背面板２１の内面に固定する。環状バネ３０の固定位置は背面板２１の内面において、側面板１２の内面と平行する２本の線Ｘ１とＸ２（図１）を仮想し、この２本の仮想線Ｘ１、Ｘ２を周の接線とする姿勢で環状バネ３０を背面板２１の内面に立設する。仮想線Ｘ１とＸ２の位置は側面板１２の内面から環状バネ３０の直径より短い距離Ｍ（図１）の位置に設定する。この距離Ｍの設定によって環状バネ３０と側面板１２とが接触を始めるカードの枚数を選定することができる。つまり、この距離Ｍを短くする程、環状バネ３０が側面板１２の内面に接触を始めるカードの枚数を少なくすることができる。【００１１】  図３にその設定の例を示す。この例ではカード収納箱１０の奥行寸法ＬをＬ≒４０ｍｍとし、環状バネ３０の直径ＤをＤ≒√２×４０ｍｍ、環状バネ３０の取付点と側面板１２の内面までの距離ＭをＭ≒４０ｍｍとした場合、収納するカードの枚数がゼロであっても環状バネ３０は圧接板４０と側面板１２との稜線に接触し、そのとき環状バネ３０の開口面と圧接板４０との間の内角θはθ≒４５°となる。図には省略して示しているが環状バネ３０には例えばビニールチューブのような可撓性チューブを被せるとよい。スチールワイヤによって環状バネ３０を形成した場合、スチールワイヤの径は２ｍｍ程度のワイヤを用いる。このため圧接板４０と側面板１２との間に隙間があると、この隙間に環状ワイヤが入り込んでしまう事故が発生する。このために、スチールワイヤに例えば外径が５ｍｍ程度の可撓性チューブを被せることにより、このような事故の発生を抑えることができる。【００１２】  図４及び図５に環状バネ３０と圧接板４０との接触状態を維持するための支持腕７０と、環状バネ３０と圧接板４０とが接触する内角θを常に直角より小さい角度の状態に維持するための姿勢維持手段７５との実施例を示す。
支持腕７０は図４に示すように圧接板４０の背面から環状バネ３０を構成する線材の直径（スチールワイヤにビニールチューブを被せた場合はビニールチューブの外径）にほぼ等しいか或いは直径よりわずかに大きい間隔を開けて支持した突片で構成することができる。更に支持腕７０を圧接板４０の板面からわずかに離した位置に架設するための段部によって姿勢維持手段７５を構成した場合を示す。この姿勢維持手段７５の存在によって環状バネ３０の姿勢は圧接板３０とのなす内角θが直角より小さい角度となるように維持される。
図６に環状バネ３０の実施例を示す。この実施例では２０ｍｍ程度の幅を持つ帯状の金属板３１の両端に内径が約２．５〜３．０ｍｍφ程度の円筒３２を形成し、この円筒３２に適当な長さに切断したスチールワイヤの両端を同量長ずつ差し込み、円筒３２と押しつぶすことにより金属板３１の両端に環状バネ３０を装着した実施例を示す。円筒３２の相互間の距離を適宜選定し、金属板３１を防塵ケース２０を構成する背面板２１に装着すれば環状バネ３０を背面板２１の所定位置に、所定の姿勢で装着することができる。
図７及び図８にカード収納箱１０に許容枚数近くまでカードを収納した場合の環状バネ３０の変形の様子を示す。図７は環状バネ３０の背面側から見た図を示す。図７から明らかなように環状バネ３０は側面板１２の板面に沿って楕円形に変形し、この変形によって側面板１２に対して強力な圧接力を与え、圧接板４０の位置を保持する。また上部から見ると図８に示すように環状バネ３０は圧接板４０の板面にほぼ平行な形状に湾曲する姿勢に変形する。この状況では環状バネ３０の偏倚力は主に側面板１２に向かっており、この状況下では圧接板４０に向かって大きな偏倚力が与えられていない状況が見て取れる。
【実施例２】
【００１３】  図９にこの発明の第２の実施例を示す。この実施例では圧接板４０を二枚の板４３と４４とによって二重構造とし、二枚の圧接板４３と４４の間に間隙を形成し、この間隙部分を記録媒体収納ポケット４５とした場合を示す。
収納する記録媒体としては半導体メモリであれば形状が小さいため、記録媒体収納ポケット４５に充分収納することができる。その他の記録媒体として例えば８ｃｍ型のＣＤ−ＲＯＭを用いることもできる。８ｃｍ型のＣＤ−ＲＯＭはケースに格納した状態でもサービス判の写真シートより小さいため、圧接板４０に併設した記録媒体収納ポケット４５に収納することができる。尚、この図９には支持腕７０と姿勢維持手段７５の変形例も示す。図９に示す支持腕７０と姿勢維持手段７５は例えば布テープ或いは可撓性を持つプラスチック板から成る帯の両端にマジックテープのような結合手段７６を貼り、この結合手段７６によってリングを形成し、このリングを圧接板４０の背面に装着し、結合手段７６を開放して環状バネ３０をリングの内部に挿通し、挿通後は結合手段７６によりリングを閉じることにより環状バネ３０を圧接板４０の背面に連結し、リングによって支持腕７０と姿勢維持手段７５を構成した場合を示す。
【実施例３】
【００１４】  図１０に本発明の第３の実施例を示す。この実施例では支持腕７０との姿勢維持手段７５の変形実施例を示す。環状バネ３０の圧接板４０との接触点に近い周の部分の相互間に例えば角形断面を持つ筒体７１を差し渡す。筒体７１の内部を通じて例えばゴムのような張力発生手段７２を配置し、この張力発生手段７２によって環状バネ３０の突出部分の相互間に弱い張力を与える。この張力により環状バネ３０は互いに引き寄せられるが、筒体７１の長さ寸法にょり、環状バネ３０の引き寄せ量が制限され、環状バネ３０の姿勢を所望の姿勢に維持することができる。従って筒体７１がここでは姿勢維持手段として作用する。筒体７１の両端には支持腕７０を突設し、筒体７１を圧接板４０の背面に例えば接着等により装着すれば、支持腕７０は圧接板４０の背面からわずかな間隙を開けて圧接板４０の背面に沿って配置され、この間隙内に環状バネ３０を係合させることにより、環状バネ３０と圧接板４０とを連結することができる。
【実施例４】
【００１５】  図１１乃至図１４に第４の実施例を示す。この第４実施例ではカード収納箱１０の全体を例えばプラスチックケースで形成した防塵カバー２０で覆う構造とした場合を示す。カード収納箱１０は前面板１１として写真フレームを流用し、写真フレームの背面に図１３に示すように背面板１２と底面板１３を突設して構成する。防塵カバー２０は実施例１の場合と同様に背面板２１と上面板２２を有する他に、側面板２３を有し、カード収納箱１０を上面、背面、側面を覆う構造とされる。
防塵カバー２０の背面板２１の内面には図１３に示すように第１の実施例で説明したのと同様に環状バネ３０を装着し、更に、カード収納箱１０の側面板１２の背面側の上部間に布テープ等で構成したストッパ６０を差し渡し、圧接板４０の後傾姿勢を受け止める。
防塵カバー２０とカード収納箱１０との結合は、図１４に示すように防塵カバー２０の底面板２４に切込２５を形成し、この切込２５の終端間にヒンジ２６を形成する。このヒンジ２６の形成によって防塵カバー２０を構成する箱の底面板の一部２７を回動自在に支持し、底面板２４の一部２７をカード収納箱１０を構成する底面板１３の裏面に装着すれば、防塵カバー２０をカード収納箱１０に対して回動自在に装着することができる。
その他の構造は、実施例１と同様であるから、これ以上の詳細説明は省略する。
【実施例５】
【００１６】  図１５及び図１６は本発明の第５の実施例を示す。この発明の第５の実施例は図１５に示すようにマット１５を備えたカード収納箱１０に本発明を適用した場合を示す。マット１５を備えたカード収納箱１０は図１５に示すように透明板１１Ａの背面側に表示窓１５Ａが形成されたマット１５を有し、このマット１５に形成された表示窓１５Ａを通じてカード等を表示する。マット１５の背面には更に裏蓋１６が配置され、裏蓋１６が前面板１１に固定され、透明板１１Ｄとマット１５を前面板１１の掛り部１１Ｃと裏蓋１６との間で挟み付ける構造とされる。
本発明では裏蓋１６にマット１５に形成される表示窓１５Ａよりわずかに大きい角穴を形成し、この角穴の底辺と両側辺に沿って底面板１３と側面板１２を裏蓋１６に接着等の方法で装着する。裏蓋１６に形成した角穴の上部のほぼ中央に留め金５２を装着し、防塵カバー２０に設けた爪５１と係合させて防塵カバー２０の閉状態を維持させる。
その他の構造は図１乃至図８で説明した第１の実施例と同じであるから、ここではこれ以上の詳細説明は省略する。
【産業上の利用可能性】
【００１７】  本発明の活用方法としては、第１に旅行或いは運動会等で撮った写真をカード収納箱に格納し、旅行の行程或いは行事の進行過程を時系列に従って写真で表示することに利用することができる。第２に例えば小学生等が１年間に覚えなくてはならない漢字と読みをカードに記載し、このカード収納箱に収納して１日１枚ずつ表示し、それを繰り返すことにより漢字を覚える、或いは外国語の単語のスペルと意味を表記したカードを順次表示し、これを覚える。又は簡単な英会話を文字で表示し、これを表示して覚える。数学の公式等を表記したカードを用意し、これを表示して覚える等に活用することができる。
【図面の簡単な説明】
【００１８】
【図１】本発明によるカード整理箱を兼ねるカード立の第１の実施例を説明するための斜視図。
【図２】図１に示したカード整理箱を兼ねるカード立の内部構造を説明するための断面図。
【図３】本発明の要部の構造を説明するための断面図。
【図４】本発明の要部の構造を説明するための断面図。
【図５】本発明の要部の構造を説明するための背面図。
【図６】本発明に用いる環状バネの構造を説明するための斜視図。
【図７】本発明の作用効果を説明するための背面図。
【図８】本発明の効果を説明するための平面図。
【図９】本発明の第２の実施例を説明するための斜視図。
【図１０】本発明の第３の実施例を説明するための平面図。
【図１１】本発明の第４の実施例を説明するための斜視図。
【図１２】図１１を後方から見た斜視図。
【図１３】本発明の第４の実施例の内部の構造を説明するための側面から見た断面図。
【図１４】本発明の第４の実施例に用いる防塵カバーの構造を説明するための斜視図。
【図１５】本発明の第５の実施例を説明するための正面図。
【図１６】本発明の第５の実施例の内部の構造を説明するための側面から見た断面図。
【符号の説明】
【００１９】  １０    カード収納箱                  ３０    環状バネ
１１    前面板                  Ｘ１、Ｘ２    仮想線
１１Ａ    表示窓                        ４０    圧接板
１１Ｄ    透明板                        ５０    係止手段
１２    側面板                        ５１    爪
１３    底面板                        ５２    留め金
１５    マット                        ６０    ストッパ
１５Ａ    表示窓                        ７０    支持腕
２０    防塵カバー
２１    背面板
２２    上面板
【図１】
2008029785.tif 000003
【図２】
2008029785.tif 000004
【図３】
2008029785.tif 000005
【図４】
2008029785.tif 000006
【図５】
2008029785.tif 000007
【図６】
2008029785.tif 000008
【図７】
2008029785.tif 000009
【図８】
2008029785.tif 000010
【図９】
2008029785.tif 000011
【図１０】
2008029785.tif 000012
【図１１】
2008029785.tif 000013
【図１２】
2008029785.tif 000014
【図１３】
2008029785.tif 000015
【図１４】
2008029785.tif 000016
【図１５】
2008029785.tif 000017
【図１６】
2008029785.tif 000018